Podtech/llm-jp-corpus-v4-ja_patent huggingface dataset:
(57)【要約】【課題】肌触りがよく排水能力、洗浄能力の高いウエットスーツ及びシーツの織物を提供すること。【解決手段】ポリエステル中空糸を隙間をあけて織り込んだポリエステル織物（１）の片側の面にナイロン系で織り込んだナイロン織物（２）を設け、このナイロン織物（２）の裏側にネオプレーンなどの耐水性及び断熱性の高い発泡ゴム（３）を接続素材、たとえば接着剤や繰り返し貼り合わせ可能な素材等をもちいた織物・ゴム接続層（４）により互いに接続し設ける。【選択図】図１
2015188745.tif 000002
【特許請求の範囲】
【請求項１】
ポリエステル中空糸を隙間をあけて織り込んだポリエステル織物（１）の片側の面にナイロン系で織り込んだナイロン織物（２）を設け、このナイロン織物（２）の裏側にネオプレーンなどの耐水性及び断熱性の高い発泡ゴム（３）を接続素材、たとえば接着剤や繰り返し貼り合わせ可能な素材等をもちいた織物・ゴム接続層（４）により互いに接続し設ける。
以上の構成のシーツ及びウエットスーツ素材。
【発明の詳細な説明】
【技術分野】
【０００１】この発明は、家庭や病院施設などで使用している失禁の多い病人や乳幼児のシーツやウエットスーツの素材に関する関するものである。
【背景技術】
【０００２】従来、シーツやウエットスーツは人肌に接する側は肌触りが良くかつ吸水性の高い素材、裏側はゴムなどの浸透しない素材でできてたものがあった。
【発明の開示】
【発明が解決しようとする課題】
【０００３】そのためには次のような問題が有った。
人を介して排出される水分、ウエットスーツの場合は海水や汗、シーツの場合は汗や尿などであるが、この水分を排出するために、人肌に触る部位と耐水性素材の間に保水素材や排水路を設けた繊維を挟んだりしていた。
保水素材を挟んだタイプは吸水するたびにこの素材を交換する必要があり、また尿などのにおいを効率よく取り除くことができなかった。排水路を設けた構造のものはこの部位の構造が複雑となり生産性が低かった。
【課題を解決するための手段】
【０００４】人肌に接する部位にはポリエステル中空糸を隙間を空けて織り込み、この裏側には排水及び保水路としてのナイロン系繊維をもちいた織物を編みこみ、裏側には断熱・防水層として発泡ゴムをもちいたシートを永久的な接続若しくは繰り返し剥離・接続可能な部材で接続した構造とした。
【発明の効果】
【０００５】排水路としてナイロン繊維を用いた通常の形態の織物を用いるため構造が簡単で製造も容易、かつ洗浄も丸洗いが容易である。【０００６】人に接する表面はポリエステル中空糸で隙間を空けて編まれた繊維であるため撥水性がたかく、中間に位置し排水に用いる繊維はナイロン糸を用いた織物であるため吸水性が高く保水能力も高い。また裏面に防水層としてゴム材を用いているため断熱性が高い。【０００７】繊維層とゴム層を接続する部位に赤外線を放射する素材を練りこんだ接着剤をもちいることにより保温性が高まる。【０００８】繊維層とゴム層を接続する部位に繰り返し分離接続可能な素材をもちいることにより洗浄の時に作業性や洗浄能力が高まる。
【発明を実施するための最良の形態】
【０００９】以下に本発明の実施の形態を図を用いて説明する。
ポリエステル中空糸を隙間をあけて織り込んだポリエステル織物（１）の片側の面にナイロン系で織り込んだナイロン織物（２）を設け、このナイロン織物（２）の裏側にネオプレーンなどの耐水性及び断熱性の高い発泡ゴム（３）を接続素材、たとえば接着剤や繰り返し貼り合わせ可能な素材等をもちいた織物・ゴム接続層（４）により互いに接続する。本案は以上の構成で、ウエットスーツやシーツの場合はこの素材をもちいて想定の形に仕上げる。この際、織物・ゴム接続層（４）に遠赤外線素材を織り込んだ接着剤をもちいたりマジックテープなどの分離可能な素材をもちいてもよい。また発泡ゴム（３）の厚さを厚くすることにより断熱性を高めた構造でもよい。
【図面の簡単な説明】
【００１０】
【図１】本発明の断面図である。
【符号の説明】
【００１１】１．ポリエステル織物
２．ナイロン織物
３．発泡ゴム
４．織物・ゴム接続層
【図１】
2015188745.tif 000003
(57)【要約】【課題】薄く見やすくかつ取り出しやすい財布カード収納。【解決手段】カードを収納する長方形に配置された表裏複数あるひな壇形式のポケットに収納する事でカードの厚みを分散させ見やすくきれいに収納できる財布カード収納を提供する。【選択図】図１
2015188741.tif 000002
【特許請求の範囲】
【請求項１】
この財布カード収納は表裏にひな壇形式になっている複数のカードを入れるポケットがある財布カード収納。
【請求項２】
この財布カード収納は財布に入れなくても使える事とする。
【発明の詳細な説明】
【技術分野】
【０００１】この発明は、財布の中にあるカード類をコンパクトかつ見やすくきれいに整理する事に関する。
【背景技術】
【０００２】近年ポイントカードやいろいろなカードが普及し財布にきれいに収まらずしかも見にくく、取り出しにくかったからこのカードを整理できるものが必要だった。
【先行技術文献】
【特許文献】
【０００３】
【特許文献１】不明
【非特許文献】
【０００４】
【非特許文献１】なし
【発明の概要】
【発明が解決しようとする課題】
【０００５】本案は財布の中にあるカードをコンパクトかつ見やすくきれいに収納できるものである。
【課題を解決するための手段】
【０００６】本方式では、横幅はカードのサイズで縦幅はカードが５枚から６枚入るサイズの薄いケースにひな壇形式で裏表のポケットに１枚１枚きれいかつコンパクトに収納できるもケースを提供する。
【発明の効果】
【０００７】本発明によれば、本体の表裏にひな壇形式である複数のポケットにカードをきれいかつ見やすく収納する。
【図面の簡単な説明】
【０００８】
【図１】この発明の一実施形態を示す図である。
【発明を実施するための形態】
【０００９】図１にある本体の表裏にある複数のポケットにカードを入れカードを収納する。
【実施例】
【００１０】この発明本体のポケット表裏にある、ひな壇になっているポケットにカードを入れ財布のお札を収納するポケットにカードを入れた本体を収納する。
【産業上の利用可能性】
【００１１】この発明は、多くの人が使用でき求めているため製造販売ができるため産業上利用価値は高い。
【符号の説明】
【００１２】１はカードを入れるポケット
【図１】
2015188741.tif 000003
(57)【要約】【課題】  本発明は、ヘアゴムなどの掛け具を工夫したヘアゴムホルダーを提供する。【解決手段】    シート本体背面に弾性体により設置場所との隙間を設け、シート本体にヘアゴムなどの収納、取り出しに適した穴部を複数形成したことを特徴とするヘアゴムホルダー。【選択図】図１
2015188743.tif 000002
【特許請求の範囲】
【請求項１】
シート本体背面に弾性体により設置場所との隙間を設け、シート本体にヘアゴムなどの収納、取り出しに適した穴部を複数形成したことを特徴とするヘアゴムホルダー。
【発明の詳細な説明】
【技術分野】
【０００１】  本発明は、ヘアゴムなどの掛け具を工夫したヘアゴムホルダーに関するものである。
【背景技術】
【０００２】  従来のヘアゴムなどの掛け具の形状は、図２に示すように、基盤にアームを立体的に設けられたものである（特許文献１参照）。
【先行技術文献】
【特許文献】
【０００３】
【特許文献１】  登録実用新案第３０３４４８９号
【発明の概要】
【発明が解決しようとする課題】
【０００４】  幼児の目の高さでも安全に据え付けられるヘアゴムなどの掛け具が、いままでなかった。
収納ケースなどに複数まとめて収納すると絡みや失くすことがあった。
従来の技術によれば、幼児の扱いには向いておらず、図２の示すアームの先端に形成された突起による怪我の危険があった。
また、複数のヘアゴムなどを収納すると目的のヘアゴムなどを取り出すのに時間を要し、複数の掛け具を用意するには経済的ではなかった。
そこで、この発明は、突起を形成せず平面による幼児にも安全に扱え、見栄えよく簡単に収納、取り出しができるヘアゴムなどの掛け具を提供することを課題とする。
【課題を解決するための手段】
【０００５】  本発明は柔軟性を有するシート本体の背面に隙間を設けることで、シート本体にヘアゴムなどの収納、取り出しに適したアームを複数形成したことを特徴とするヘアゴムホルダーである。
【発明の効果】
【０００６】  本発明によれば、シート本体前面に突起はなく、幼児が取り扱う際の危険が軽減され、穴部の形状により、収納、取り出しが容易化し、また、複数のヘアゴムなどを経済的、かつ、見栄え良く収納ができて、目的のヘアゴムなどを容易に取り出すことができた。
アーム（掛け具）（３ａ）、アーム（掛け具）（３ｂ）の働きで、ヘアゴムなどの脱着が簡単で、扉など開閉式の場所に取り付けてもヘアゴム等が落ちることがない。
複数設けられたアーム（掛け具）（３ａ）、アーム（掛け具）（３ｂ）の働きでヘアゴムなどをひと組ごとに収納できるため、探す手間が省ける。
また、着色された本体（１）にヘアゴムなどを収納することでインテリアとなる。
この発明の実施をするための形態によれば、アーム（掛け具）（３ａ）、アーム（掛け具）（３ｂ）の働きで、ヘアゴム等の脱着が簡単で、扉など開閉式の場所に取り付けてもヘアゴム等が落ちることがない。
複数設けられたアーム（掛け具）（３ａ）、アーム（掛け具）（３ｂ）の働きでヘアゴムなどをひと組ごとに収納できるため、探す手間が省ける。
また、着色された本体（１）にヘアゴムなどを収納することでインテリアとなる。
【図面の簡単な説明】
【０００７】
【図１】  この発明の正面から見た斜視図である。
【図２】  この発明の背面から見た斜視図である。
【図３】  この発明の側面図である。
【図４】  この発明の穴部（２）を示した正面の拡大図である。
【発明を実施するための形態】
【０００８】  この発明の実施するための形態を、図１に示す。
ヘアゴムなどの掛け具本体（１）は柔軟性を有するシートであり、この本体（１）の背面に弾性体を本体（１）の背面に接着し隙間を設け、穴部（２）と穴部同士をつなぐ切り込み（３）を入れることにより、アーム（掛け具）（３ａ）、アーム（掛け具）（３ｂ）が形成されヘアゴムなどの掛け具になる。
また、穴部（２）、アーム（掛け具）（３ａ）、アーム（掛け具）（３ｂ）は複数形成するものとする。
本体（１）は着色が可能である。
【０００９】    この実施するための形態によれば、アーム（掛け具）（３ａ）、アーム（掛け具）（３ｂ）の働きで、ヘアゴムなどの脱着が簡単で、扉など開閉式の場所に取り付けてもヘアゴムなどが落ちることがない。
複数設けられたアーム（掛け具）（３ａ）、アーム（掛け具）（３ｂ）の働きでヘアゴムなどをひと組ごとに収納できるため、探す手間が省ける。
また、着色された本体（１）にヘアゴムなどを収納することでインテリアとなる。
【００１０】  図１の実施するための形態では、本体の形状は角のない長方形であるが、角がなければ他の形状でも良い。
【符号の説明】
【００１１】１  ヘアゴムなど掛け具本体
２  穴部
３ａ  アーム（掛け具）
３ｂ  アーム（掛け具）
４  切り込み
５  弾性体
６  両面テープ、または、吸着シート
【図１】
2015188743.tif 000003
【図２】
2015188743.tif 000004
【図３】
2015188743.tif 000005
【図４】
2015188743.tif 000006
(57)【要約】【課題】透過性のある色彩のついた小玉形の材質を照明カバーとする場合接着剤で固定されていたり、はめ込まれていたりと一過性のものが殆どであった。当然、透過性のある色彩のついた小玉形の食材などは劣化が早いため一過性の照明カバーに利用されることは今までなく、またこのような小玉形の材質が光を幻想的に透過する事は余り知られていない。この為、照明器具では透過性のある色彩のついた小玉形の材質を自由に且つ簡単に出し入れすることができる照明カバーは存在しなかった。【解決手段】照明器具本体の下段に台座を設け台座の側面に照明のスイッチを有し、上面中央部には光源を設け、照明カバーには外筒と内筒が設けられ、外筒と内筒の隙間の空間部に透過性のある色彩をつけた小玉形の材質を複数挿入して充満させている。照明カバーの底面には４ヶ所の蓋を除き密閉されていて、この蓋より小玉形の材質の出し入れを行う。【選択図】図１
2015060834.tif 000002
【特許請求の範囲】
【請求項１】
照明器具本体の下段に台座を設け、台座の側面に照明のスイッチを有し、上面中央部には光源を設け、照明カバーには外筒と内筒が設けられ、外筒と内筒の隙間の空間部に透過性のある色彩をつけた小玉形の材質を複数挿入して充満させ、照明カバーの底面は蓋を除き密閉されていて、この蓋より小玉形の材質の出し入れを行う事を特徴とした照明器具。
【請求項２】
外筒と内筒の隙間の空間部に金平糖を充満させた請求項１の照明器具。
【請求項３】
外筒と内筒の隙間の空間部に色つきのマカロニを充満させた請求項１の照明器具。
【請求項４】
外筒と内筒の隙間の空間部にビーズを充満させた請求項１の照明器具。
【請求項５】
外筒と内筒の隙間の空間部に天然石を充満させた請求項１の照明器具。
【発明の詳細な説明】
【技術分野】
【０００１】  本発明は透過性のある色彩のついた材質を詰め替え可能にした透明なボックスを照明カバーとする照明器具に関するものである。
【背景技術】
【０００２】  透過性のある色彩をつけた小玉形の材質は日常生活に数多く存在する、一般的なもので言えばガラス球やビーズ、天然石などが一般的である。しかし見方を変えれば金平糖やジェリービーンズ、マカロニ等などもその要素を含んでいる。
一方、照明器具は、光源と照明カバー（シェード）に二分され、照明カバーの材質はガラス・陶器・和紙等さまざまなものが用いられている。
従来の照明カバーの中には透過性のある色彩のついた小玉形の材質を接着剤で貼り付けたり、陶器にはめ込んだりしたものなどは少数ながら見受けられる。
【発明の概要】
【発明が解決しようとする課題】
【０００３】  透過性のある色彩のついた小玉形の材質を照明カバーとする場合接着剤で固定されていたり、はめ込まれていたりと一過性のものが殆どであった。
当然透過性のある色彩のついた小玉形の食材などは劣化が早いため一過性の照明カバーに利用されることは今までなかった。しかしこのような透過性のある色彩のついた小玉形の材質が光を幻想的に透過する事は余り知られていない。
照明器具では透過性のある色彩のついた小玉形の材質を自由に出し入れすることができる照明カバーは存在しなかった。
本発明は、以上の問題点を解決するためになされたものである。
【課題を解決するための手段】
【０００４】  照明器具本体の下段に台座を設け、台座の側面に照明のスイッチを有し、上面中央部には光源を設ける。照明カバーには外筒と内筒が設けられ、外筒と内筒の隙間の空間部に透過性のある色彩をつけた小玉形の材質を複数挿入して充満させ、照明カバーの底面には蓋を除き密閉されていて、この蓋より小玉形の材質の出し入れを行う。
以上の構成よりなる照明器具。
【発明の効果】
【０００５】  透過性のある色彩のつけた小玉形の食品や天然石、ガラス玉をなどのを接着剤などで固定する事なく簡単に照明のカバーとして使用することができ、ＬＥＤ光源・蛍光灯などの人工的な光を癒し効果を持った、暖かく幻想的な光を放つ照明器具にする事を可能とする。
自分の好みにより、照明カバーの上段、中段、下段と同じ色彩や同じ材質で層を形成する事によって光をコントロールしデザインを変化させることも容易に可能である。
家庭用の照明器具として使うことはもちろんのこと、食材を照明カバーとして扱える事から、飲食店などの店舗のテーマや雰囲気に合った照明効果を期待できる。
さらに金平糖などのお菓子・パスタ等を空間部に入れた場合、梱包資材件照明器具として贈答用の商品としての付加価値をつける事ができる。
【図面の簡単な説明】
【０００６】
【図１】  本発明の照明器具本体で一部切欠いた斜視図である
【図２】  本発明の台座の斜視図である。
【図３】  本発明の照明カバーを上下反転させて一部切欠いた斜視図である。
【発明を実施するための形態】
【０００７】本発明の実施形態に付いて以下に説明する
（イ）図１に示されているように、照明器具本体（１）の下段には台座（２）が設けられ、台座（２）の側面に照明のスイッチ（３）を有し、台座（２）上面中央部にはＬＥＤライト（４）を設けてある。光源としてＬＥＤを用いているが蛍光灯・白熱灯等でも良い。
（ロ）台座（２）に照明カバー（５）として透明な外筒（６）と外筒（６）の内側に内筒（７）が設けられている。
（ハ）外筒（６）と内筒（７）の隙間に空間部（８）を設け、この空間部（８）に透過性のある色彩をつけた小玉形の材質、本実施例では金平糖（９）を複数挿入して充満させている。この金平糖（９）は光を透過する特性を持ち、金平糖（９）には一個一個別々な色づけされたものを用いている。例えば、金平糖以外に透過性のある色彩をつけた小玉形の材質である天然石・マカロニ・ガラス球などを用いてもよい。
（ニ）照明カバー（５）の底面（１０）は４ヶ所の蓋（１１）を除き密閉され、この蓋（１１）より金平糖（９）を出し入れ出来るように成りたっている。
本発明を使用する時は
（イ）あらかじめ、照明カバー（５）の蓋（１１）から空間部（８）に挿入された金平糖（９）の照明カバー（５）を台座（２）の上部に置く。
（ロ）台座（２）のスイッチ（３）を入れる事によって、ＬＥＤライト（４）が点灯し照明カバー（５）の空間部（８）にある金平糖（９）が照射される事によって、金平糖（９）を透過された色々な光が、照明カバー（５）から発せられ、幻想的な光が作り出される。
自分の好みにより、照明カバー（５）の上段、中段、下段と同じ色彩の金平糖（９）で層を形成する事によって光をコントロールしデザインを変化させる事も可能である。
【符号の説明】
【０００８】  １    照明器具本体
２    台座
３    スイッチ
４    ＬＥＤライト
５    照明カバー
６    外筒
７    内筒
８    空間部
９    金平糖
１０  底面
１１  蓋
【図１】
2015060834.tif 000003
【図２】
2015060834.tif 000004
【図３】
2015060834.tif 000005
(57)【要約】【課題】  従来、通常は、スコップや鋏み具を使いビニール袋などに移し、猫や犬などペット等の糞などの処理をする場合、両手で作業をしなくては、ならない面倒な作業であった。本発明は、猫や犬の糞などを、手間をかけずに衛生的に処理ができるペットの糞片付け具を提供する。【解決手段】後方に穴の開いた筒を垂直に切断し先端部分を斜めにカットした形状の筒状のスコッップの周りに、片側に多数、三角形のツメ状のものが並んで付いているツメ付板を備え、筒状スコップの底に小穴を開けたことを、特徴とするペットの糞片付け具。【選択図】図１
2015047161.tif 000002
【特許請求の範囲】
【請求項１】
後方に穴の開いた筒を垂直に切断し先端部分を斜めにカットした形状の筒状のスコッップの周りに、片側に多数、三角形のツメ状のものが並んで付いているツメ付板を備え、筒状スコップの底に小穴が開いていることを特徴とするペットの糞片付け具。
【発明の詳細な説明】
【技術分野】
【０００１】本発明は、猫や犬などペット等の糞などを片付けるための糞片付け具に関するものである。
【背景技術】
【０００２】従来、猫や犬などペット等の糞などの片付けをする場合、通常のスコップや鋏み具などを使い、ビニール袋などに移して処理をしていた。
【発明の概要】
【発明が解決しようとする課題】
【０００３】従来、通常は、スコップや鋏み具を使いビニール袋などに移し、猫や犬などペット等の糞などの処理をする場合、両手で作業をしなくては、ならない面倒な作業であった。
【課題を解決するための手段】
【０００４】後方に穴の開いた筒を垂直に切断し先端部分を斜めにカットした形状の筒状のスコッップの周りに、片側に多数、三角形のツメ状のものが並んで付いているツメ付板を備え筒状のスコップと、ツメ付き板の隙間に、ポリ袋の口部分を指し込みポリ袋の先端２ｃｍくらいを折り返し、板のツメに喰い込ませてポリ袋を、ずれ落ちないように装着し、筒状スコップで、掬いとった糞等を、装着したポリ袋に、収納する。かつ、小さい糞等は、転がり掬い取り難いので、筒状スコップの底に開いている小穴から掬い取る。
以上の構成よりなるペットの糞片付け具。
【発明の効果】
【０００５】従来は、犬や猫等などペット等の糞などの片付け作業をするときは、両手を使って通常のスコップを使い犬や猫などのペットの糞などを掬い取りそれを、ポリ袋に移し変え犬や猫等の糞などの処理をしていた。本発明により片手でも衛生的で、簡単に、猫や犬などペット等の糞などの処理が可能となる。
【図面の簡単な説明】
【０００６】
【図１】本発明の斜視図
【図２】本発明の使用状態図
【発明を実施するための形態】
【０００７】以下、本発明の実施の形態を説明する。
（イ）筒を垂直に切断し先端部分を斜めにカットした形状の筒状スコップ（４）の後方部分に穴（２）をあけ、筒状スコップ（４）に、グリップ（１）を取付けてある。
（ロ）筒状スコップ（４）の外周に５ｍｍ〜１ｃｍ程度のすき間を開けて板の片側に多数三角形のツメ状のものが並んで付いているツメ付板を（２）を設ける。
（ハ）筒状スコップの底に小穴をあける。
本発明は以上のような構造である。
本発明を使用するときは、筒状スコップ（４）とツメ付板（３）との隙間に適したサイズのポリ袋（６）の先端を、ツメ付板（３）と筒状スコップ（４）の隙間に差し込み先端の２ｃｍくらいを、折り返しツメ付板（３）のツメに喰い込ませて、ポリ袋（６）がずれ落ちないように装着し、筒状スコップ（４）のグリップ（１）を持ち、掬い取った犬や猫などの糞等を筒状スコップ（４）の穴（２）からポリ袋（６）に移動させて糞等を収納する。また、小粒の糞等は転がり易く、掬い取り難いので、筒状スコップ（４）の底に開いている小穴（５）から掬い取る。
【符号の説明】
【０００８】  １  グリップ、２  穴、３  ツメ付板、４  筒状スコップ、５  小穴、６  ポリ袋、
【図１】
2015047161.tif 000003
【図２】
2015047161.tif 000004
(57)【要約】      （修正有）【課題】魚の強い引きに釣竿が竿掛けより外れてしまう不都合を解決する竿掛けを提供する。【解決手段】竿掛け１に、フック付き重し乗せ３及び三角足４をそれぞれ連続ピン２にて結合し、三角足の横棒４Ａをフック付き重し乗せ３Ａに差し込み、フック付き重し乗せ３Ａに重しを乗せ、竿掛け１を構成する。【選択図】図１
2015047159.tif 000002
【特許請求の範囲】
【請求項１】
竿掛けにフック付き重し乗せ、及び三辺を有する三角足を設けたところを特徴とする釣竿掛け具。
【発明の詳細な説明】
【技術分野】
【０００１】  本発明は釣竿掛けに関するものであり、釣竿掛けに工夫を加える事によって、釣竿を保持する力を向上させたものである。
【背景技術】
【０００２】  堤防での釣りは一般的に伸縮式３本足（三脚）竿掛けを使用している。
【発明の開示】
【発明が解決しようとする課題】
【０００３】  伸縮式３本足竿掛けは、竿の保持力が一定程度までしかなく、フッキング後の魚の強い引きに一定程度までしか対応できず、竿、リール等が竿掛けより外れて破損する場合がある。従って竿の保持力を向上させる事で、欠点を解決することを課題とする。
【課題を解決する為の手段】
【０００４】  本発明は、竿掛けにフック付き重し乗せ、三角足を取り付け、重し乗せに重しを乗せて竿の保持力を上げることにより欠点を解決している。
【発明の効果】
【０００５】本発明により、釣竿が魚の強い引きにより竿掛けより外れることなく、釣竿を保持できる。
【発明を実施するための最良の形態】
【０００６】  図１は竿掛け１に、フック付き重し乗せ３及び三角足４をそれぞれ連結ピン２にて結合し、三角足の横棒４Ａを重し乗せのフック３Ａに差込、重し乗せ３に重しを乗せ、竿掛けに釣竿を掛ける。
【産業上利用可能性】
【０００７】  本発明に係る釣竿掛け具は、工業的に量産する事が可能であるため、産業上の利用可能性を有する。
【図面の簡単な説明】
【０００８】
【図１】  本発明の斜視図である。
【符号の説明】
【０００９】  １      竿掛け
２      連結ピン
３      フック付き重し乗せ
３Ａ    フック
４      三角足
４Ａ    横棒
【図１】
2015047159.tif 000003
【手続補正書】
【提出日】平成26年6月19日(2014.6.19)
【手続補正１】
【補正対象書類名】明細書
【補正対象項目名】０００４
【補正方法】変更
【補正の内容】
【０００４】本発明は、竿掛けにフック付き重し乗せ、三角足を取り付け、重し乗せに重しを乗せて竿の保持力を上げることにより欠点を解決している。又、竿掛けにマストを介して平型足、重し乗せを取り付け、重し乗せに重しを乗せて竿の保持力を上げることにより欠点を解決している。
【手続補正２】
【補正対象書類名】明細書
【補正対象項目名】０００６
【補正方法】変更
【補正の内容】
【０００６】図１は竿掛け１に、フック付き重し乗せ３及び三角足４をそれぞれ連結ピン２にて結合し、三角足の横棒４Ａを重し乗せのフック３Ａに差込、重し乗せ３に重しを乗せ、竿掛けに釣竿を掛ける。又、図２は竿掛け５に、マスト６を連結ピン２にて結合し、マスト６のもう片方を重し乗せ８に連結ピン２で結合する。更に平型足７に結合しているＬ型フック７Ａをマスト６の端のピン２に掛け結合し、重し乗せ８に重しを乗せ、竿掛け５に釣竿を掛ける。
【手続補正３】
【補正対象書類名】明細書
【補正対象項目名】０００８
【補正方法】変更
【補正の内容】
【０００８】
【図１】本発明の斜視図である。
【図２】本発明の斜視図である。
【手続補正４】
【補正対象書類名】明細書
【補正対象項目名】０００９
【補正方法】変更
【補正の内容】
【０００９】１      竿掛け
２      連結ピン
３      フック付き重し乗せ
３Ａ    フック
４      三角足
４Ａ    横棒
５      竿掛け
６      マスト
７      平型足
７Ａ    Ｌ型フック
８      重し乗せ
【手続補正５】
【補正対象書類名】特許請求の範囲
【補正対象項目名】全文
【補正方法】変更
【補正の内容】
【特許請求の範囲】
【請求項１】
フック付き重し乗せ、及び三辺を有する三角足を設けたところを特徴とする釣竿掛け具。
【請求項２】
竿掛けにマストを介して平型足、重し乗せを設けたところを特徴とする釣竿掛け具。
【手続補正７】
【補正対象書類名】図面
【補正対象項目名】図２
【補正方法】追加
【補正の内容】
【図２】
2015047159.tif 000004
(57)【要約】【課題】  従来の家庭用電動工具の、ねじくぎ用アタッチメントには、まだＬ字型フックや丸型フックねじくぎのアタッチメントが存在しない。【解決手段】  本発明によって、Ｌ字型フックや、丸型フック用の、ねじくぎの新しいアタッチメントを開発することによって、課題を解決した。【選択図】図１
2015047688.tif 000002
【特許請求の範囲】
【請求項１】
従来の家庭用ねじくぎ電動工具の、ねじくぎ用の既存アタッチメントに無い、新型アタッチメントで、Ｌ字型フックや丸型フックねじくぎ用アタッチメント。
【発明の詳細な説明】
【技術分野】
【０００１】本発明は、一般家庭での必要不可欠な電動工具のアタッチメントに関する。
【背景技術】
【０００２】従来の家庭用のねじ回し用電動工具のアタッチメントには、プラス、マイナス、六角ボルト、六角レンチ、ドリルなどのアタッチメントがある。【０００３】従来の家庭用のねじ回し電動工具のアタッチメントには、［０００２］に記したアタッチメントなどが存在する。【０００４】従来の家庭用のねじ回し電動工具のアタッチメントの電動工具に装着する分部の形は、六角でサイズはみな同じである。
先行技術文
【特許文献】
【０００５】特許文献１  調べたが、現状では、新しい特許文献無し。
【非特許文献】
【０００６】非特許文献
「マキタ総合カタログ２０１３，４」
【発明の概要】
【発明が解決しようとする課題】
【０００７】従来の家庭用電動工具用のアタッチメントには、０００２で記したようなアタッチメントだけである。【０００８】本発明は、従来に無かった、家庭用の電動工具用の新型アタッチメントであり、非力な老人、女性、疾病患者などでも、無理せず簡単に作業できる事を目的とするものである。
【課題を解決するための手段】
【０００９】そして、本発明は上記目的を達成するための新しい種類の家庭用電動工具用アタッチメントである。【００１０】また、第二の課題解決手段は、様々な大きさに対応できる構成としたものである。【００１１】上記の第一の課題解決手段は次のような作用である。すなわち、今までの＋−ドリルなどのアタッチメント用以外のＬ字フックや丸型フック用の新しいねじくぎ用のアタッチメントである。【００１２】また、第二の課題解決手段は、Ｌ字フック、丸型フックねじの大小に対応出来るようにしたアタッチメントである。【００１３】上述したように、本発明の家庭用電動工具のアタッチメントは、従来無かったＬ字フックや丸型フックねじ用のアタッチメントに対応できるものである。【００１４】また、上述のように、今まで手を使い、不要な力を使い、扱っていた、Ｌ字フックや丸型フックのねじくぎを家庭用電動工具によって、使用できるようにした。これによって、あらゆる非力な人たちにも、無理なくＬ字フックや丸型フックを使用できるようにした。
【図面の簡単な説明】
【００１５】
【図１】本発明の概要図。
【図２】本発明のフックを固定する部位の図。
【図３】本発明のフックを固定する部位の図。
【図４】本発明の家庭用電動工具に装着する部位の図。
【図５】本発明の新型フックのアタッチメントを装着する、家庭用電動工具の分部の図。
【発明を実施するための形態】
【００１６】以下、本発明の実施の形態を図１〜図５に基づいて説明する。
【００１７】図においては、１の全体図であって１ｍｍ幅のステンレスで作られる。Ｌ字型フック及び丸型フックを固定する
部位の片側反面図２、同時にＬ字型フック及び丸型フックを固定する部位の片側反面図３、図２と図３は、Ｌ字型フックと丸型フックを固定するために内側を加工されている。
【００１８】本発明の家庭用電動工具用新型アタッチメントは、従来の＋あるいは−のねじくぎ用のアタッチメント同様、図１のアタッチメントを、フックの大きさに合わせて大小５種類作る。
【００１９】家庭用電動工具の装着分部は、従来通りの六角である。
【００２０】図２と図３のねじくぎを固定する内側部位は、固定するための縦と横に、のこぎり状の溝の他、縦に浅い半円形の溝を作り、ねじくぎの固定力を強めてある。
【００２１】無し
【００２２】無し
【００２３】無し
【符号の説明】
【００２４】特に無し
【図１】
2015047688.tif 000003
【図２】
2015047688.tif 000004
【図３】
2015047688.tif 000005
2015047688.tif 000006
2015047688.tif 000007
【手続補正書】
【提出日】平成26年2月7日(2014.2.7)
【手続補正１】
【補正対象書類名】明細書
【補正対象項目名】００１５
【補正方法】変更
【補正の内容】
【００１５】
【図１】  本発明の概要図
【図２】  本発明のフックを固定する部位の図。
【図３】  本発明のフックを固定する部位の図。
【図４】  本発明の新型アタッチメントと従来の電動工具の装着図。
【図５】  本発明の新型アタッチメントに使用するフック図。
【手続補正２】
【補正対象書類名】図面
【補正対象項目名】全図
【補正方法】変更
【補正の内容】
【図１】
2015047688.tif 000008
【図２】
2015047688.tif 000009
【図３】
2015047688.tif 000010
【図４】
2015047688.tif 000011
【図５】
2015047688.tif 000012
(57)【要約】【課題】  従来の定規は布に留めることができず、布を切る、縫うの作業は布に線や印を付けた部分を切る、縫うをしていた。また、定規にはミシンや手縫いの運針の補佐をする目的はなかった。ミシンの運針時に、ミシン針と待ち針が接触すると針が折れてしまうことがあるため、待ち針を外しながら縫っていた。  本発明は、定規を布に固定することで布に線を引かず切り縫い可能で、尚且つ、ミシン使用時には待ち針を外さずに直線縫いを補佐できる、そい定規を提供する。【解決手段】従来の定規に柔軟性のある柔らかな材質を用いて、定規の沿い部又は全体部をミシンの押さえを沿わせることが可能な厚さにし、定規の側面又は全面に長さを測るためのメモリを印刷し、定規の長さや形状に合わせて定規の側面に待ち針刺し穴を必要数設けたそい定規。この定規は他に、同時に縦横の長さが測れるようにＬ字形状にしてもよい。【選択図】図１
2015047869.tif 000002
【特許請求の範囲】
【請求項１】
定規を布に留めて使用できるように、柔軟性のある柔らかな材質のものを用い、定規の側面に待ち針を刺すための待ち針刺し穴を、定規の長さや形状によって必要数設けた、そえ定規。
【発明の詳細な説明】
【技術分野】
【０００１】  本発明は、ソーイングの際に使用する、そい定規に関するものである。
【技術背景】
【０００２】  従来の定規は、長さを測り、線を引くために利用するのものが一般的である。
【発明の概要】
【発明が解決しようとしている課題】
【０００３】  従来の定規は、布に留めることができなかった。また、ソーイング時に布を切る、縫うの作業は、長さを測り、布に線や印を付けた部分を切る、縫うしていて、布に線や印を付けずに定位置を切ったり縫ったりすることは困難であった。本来、定規にはミシンの直線縫いを補佐する目的はなかった。また、ミシンの運針時、ミシン針と待ち針が接触しミシン針が折れてしまうことがあるために待ち針を外しながら縫い進んでおり、待ち針を外さずにミシンを運針することが困難であった。
本発明は、以上の問題点を解決するためになされたものである。
【課題を解決するための手段】
【０００４】  定規に柔軟性のある柔らかな材質を用いて、定規の沿い部又は定規全体にミシンの押さえ部を沿わせることが可能な程度の厚みを設ける。定規の側面又は全面部に長さを測定するためのメモリを印刷する。この定規の側面に待ち針を布などに刺し留めるための待ち針刺し穴を設ける。この穴の数や列は、定規の長さや形状によって必要数設ける。
この定規の他に、同時に縦横の長さが測れるようＬ字形状にしてもよい。透明な定規にメモリを印刷しても、定規の下になった布や布に記した線やマークが見えるのでよい。
以上の構造よりなる、そい縫い定規。
【発明の効果】
【０００５】  定規を布に待ち針で固定できるので、正確に線を引くことができる。また、定規の沿い部を切断部や運針部に沿って留め合わせることで、布に直接線を引かなくても必要な長さを測りながら切断する、縫うなどの作業を行うことができる。
【０００６】  ミシン使用時には、ミシンの針を縫い線に合わせ、ミシンの押さえ部を本発明の定規に沿わせながら布を縫うことで、ミシンで容易に直線縫いができるよう補佐することができる。
【０００７】  従来は、ミシンでの運針時にミシン針が待ち針に接触して折れてしまうことがあり、縫い進む先の待ち針の位置で、その都度待ち針を抜きながら運針していたが、本定規を用いては待ち針を外さずに、ミシンを縫い進めることができるものである。
【図面の簡単な説明】
【０００８】
【図１】本発明の正面図
【図２】本発明の使用状態図
【発明を実施するための形態】
【０００９】    以下、本発明の実施の形態を説明する。
（イ）定規（１）を柔軟性ある柔らかな材質を用い、定規（１）の沿い面（４）の厚さは    ミシン（５）の押さえ部（８）を沿い面（４）に沿わせることが可能な厚さにし、定    規の側面に待ち針刺し穴（２）を設ける。待ち針刺し穴（２）の列や数は、定規の長    さや形状によって必要数設ける。
（ロ）定規（１）の側面又は全面に定規本来の機能である長さを測るためのメモリ（３）    を印刷する。
本発明の形状は、他にも同時に縦横の長さが測れるようにＬ字型を用いてもよい。ま    た、布や布に記した線やマークが見えるように定規（１）の表面を透明にしてもよい    。
本発明は以上のような構造である。
本発明を使用する時は、ソーイング生地などをハサミなどで切断したり、針で縫う場合、ソーイング生地の切断部又は運針部に、定規（１）の沿い面（４）を合わせ置き、待ち針刺し穴（２）に待ち針（１０）で留め、沿い面（４）に沿って、直接ハサミで生地を切ったり、生地を直接縫い合わせたり、生地に線を引いて使用する。また［図２］の使用状態図に示した通り、ミシン（５）の運針時に使用する際は、布（６）の縫い線（９）にミシン針（７）を合わせて、押さえ部（８）で布（６）を押さえる。この押さえ部（８）に沿い面（４）を合わせ、待ち針刺し穴（２）に待ち針（１０）を刺して、布（６）に留め、固定した定規（１）の沿い面（４）に押さえ部（８）を沿わせながらミシンを運針させる。
【符号の説明】
【００１０】１定規、２待ち針刺し穴、３メモリ、４沿い面、５ミシン、６布、７ミシン針
８押さえ部、９縫い線、１０待ち針
【図１】
2015047869.tif 000003
【図２】
2015047869.tif 000004
(57)【要約】【課題】クライアントと電話で仕事のやりとりをする時、打合せ内容の修正指示を出力紙に書き込むことが必要になる。その際、素早く出力紙を用意することが仕事をスムーズに進めるために大事である。そこで待たせることは、印象を悪くするだけでなく致命的な結果を招くこともある。また出力紙の平積みの場合、幾層にもなると崩れる事もあり机の上が乱雑になりがちだった。本発明はパソコン出力紙の効率よい整理・管理を提供するものである。【解決手段】複数の仕切り板の間隔を狭く設定して出力紙を立て置きにする。仕切り板と底板で構成する各出力紙保管部に段差をつけ、仕切り板上部に出力紙の内容確認スペースを設ける。【選択図】図１
2015047866.tif 000002
【特許請求の範囲】
【請求項１】
（イ）仕切り板（１）の下部に底板（３）を設ける、
（ロ）対になった仕切り板（１）と底板（３）を前板（２）から順に段差を付けて接続し、出力紙保管部（５）と出力紙内容確認スペース（６）を設ける、
（ハ）最前部の前板（２）は下部に底板兼設置足（４）を接続する、
本発明は以上の構成によるパソコン出力紙スタンド。
【発明の詳細な説明】
【技術分野】
【０００１】本発明は事務所や書斎におけるパソコン関連の出力紙などの、パソコン出力紙スタンドに関するものである。
【背景技術】
【０００２】従来、複数の仕事を同時に進行し仕事別に出力紙を置く場合、平積みで重ね置きにするか、自分の机ではない比較的広い場所に平置きで並べ置くのが常である。
【発明の概要】
【発明が解決しようとする課題】
【０００３】クライアントと電話で仕事のやりとりをする時、打合せ内容の修正指示を出力紙に書き込むことが必要になる。その際、素早く出力紙を用意することが仕事をスムーズに進めるために大事である。そこで待たせることは、印象を悪くするだけでなく致命的な結果を招くこともある。
また出力紙の平積みの場合、幾層にもなると崩れる事もあり机の上が乱雑になりがちだった。本発明は、以上の問題点を解決するためになされたものである。
【課題を解決するための手段】
【０００４】（イ）複数の仕切り板の間隔を狭く設定して出力紙を立て置きにする。
（ロ）仕切り板と底板で構成する各出力紙保管部に段差をつけ、仕切り板上部に出力紙の内容確認スペースを設ける。
以上の構成によるパソコン出力紙スタンド。
【発明の効果】
【０００５】クライアントの電話での急な修正指示や注文に、目的の出力紙を探し当てるまで待たせることなく、スムーズに対応できる。また、それまで平積みで場所を取り乱雑だった机の上が整理され効率よくスペースをを使うことができる。
本発明は、デザイナーや設計者だけでなくプリンターを利用するカメラマンや写真愛好家にも役立つものである。
【図面の簡単な説明】
【０００６】
【図１】本発明の斜視図
【図２】本発明の使用状態を示す斜視図
【発明を実施するための形態】
【０００７】以下、本発明の実施の形態を説明する。
（イ）仕切り板（１）の下部に底板（３）を設ける。
（ロ）対になった仕切り板（１）と底板（３）を前板（２）から順に段差を付けて接続し、出力紙保管部（５）を設ける。仕切り板より前段の前板を低くすることで出力紙の一部を目視確認するための出力紙内容確認スペース（６）を設ける。
（ハ）最前部の前板（２）は下部に底板兼設置足（４）を接続する。
※出力紙とは、デザイナーや設計者などが完成前段階の図案をビジネスプリンタ等でプリントしたものである。ここでは主にＢ４、Ａ３サイズを対象とする。
本発明は以上のような構造である。
本発明を使用するときは、本体を机の上に設置する。
ビジネスプリンタでプリントした最新の出力紙（７）を、出力紙保管部（５）に仕事別に分けて保管する。クライアントから電話で修正指示や問い合わせがあったときは、出力紙保管部（５）に段差を付けることで設けられた出力紙内容確認スペース（６）で目的の出力紙（７）の一部を目視確認しつつ引き出し、クライアントを待たせることなく対応する。
【符号の説明】
【０００８】１  仕切り板、２  前板、３  底板、４  底板兼設置足、５  出力紙保管部、
６  出力紙内容確認スペース、７  出力紙
【図１】
2015047866.tif 000003
【図２】
2015047866.tif 000004
(57)【要約】      （修正有）【課題】ヒートシール容器の開口に器具や、裂断を誘導する切欠きの付与などを必要とせず、開口を容易にし、開口時に包装内容物等の噴出による開口現場の汚染を生じないヒートシール容器の開口部ヒートシール緩和の前処理装置を提供する。【解決手段】前処理装置は、容器素材保持冷却ロール２２、容器素材の加熱部２３、粒子供給投射部２４、投射粒子固定部、加熱部冷却ロール２６および非接触光学検査機から構成され、各部の動きは容器素材保持冷却ロール２２の容器素材供給量に調歩制御されて所要の処理をおこない、容器素材の開口部ヒートシール面に、熱溶着性のない粒子を予め固着させ開口部に粒子を介在させて密封するヒートシール容器の容器の素材開口部に前処理を加える本発明の前処理装置。【選択図】図２
2015047865.tif 000002
【特許請求の範囲】
【請求項１】
所定の速さで供給される熱可塑性樹脂をコーティングした容器素材を保持冷却するロールと、素材のヒートシール緩和部分を加熱する可動加熱部と、加熱部に加熱空気で熱溶着性のない耐熱粒子を搬送投射する投射部と、投射のあと容器素材を押圧冷却して投射粒子を冷却固定する冷却ロールと、非接触光学検査機からなる装置であって、各部の動作を素材保持冷却ロールの素材供給量に調歩制御する容器素材前処理装置。
【発明の詳細な説明】
【技術分野】
【０００１】ヒートシール密閉容器開口部にヒートシール緩和処理を加える前処理装置に関する。
【背景技術】
【０００２】大量生産に用いる容器は、ヒートシールによる密閉後の開口に器具を用いて開口する、あるいは開口のため付与した切欠きから裂断を誘導して開口するなど、いずれも開口時の容器の把持が容器を圧迫して包装内容物を噴出させ容器や開口現場を汚染するといった開口操作に問題を伴う。【０００３】器具を用いないヒートシール密閉容器の開口は、容器に切欠きを付与して裂断を誘導するのが一般であるが、容器の構造によっては切欠きを付与できない形状があって、切欠きはすべてのヒートシール容器に有効な開口手段ではない。
【発明が解決しようとする課題】
【０００４】大量生産に用いるヒートシール容器は、密閉後の開口に器具を用いて開口する、あるいは開口に付与した切欠きから裂断を誘導して開口するなどのいずれも、容器の把持による容器圧迫が包装内容物を噴出させて開口現場を汚染する問題を伴う。これを解決するため、開口部に予めシール緩和処理を加えて密封後の開口を容易にし、開口時に器具や切欠きを必要とせず、把持による容器圧迫が包装内容物を噴出させて開口現場の汚染を生じない容器とするために、開口部にシール緩和処理を施す前処理装置が求められる。
【課題を解決するための手段】
【０００５】課題を解決する手段として、容器素材の開口部ヒートシール面に熱溶着性のない粒子を予め固着させ、開口部のヒートシール層にこの粒子を介在させてヒートシールによる容器密封を行い、熱溶着性のない粒子開口部の介在でヒートシールを緩和して開口を容易にする容器素材の開口部前処理装置を用いるものである。
【発明の効果】
【０００６】容器素材の開口部に固着させる熱溶着性のない粒子を、その粒径が容器素材に予めコーティングされたヒートシール用オレフィン系樹脂層の厚さの近傍であるように選び、容器開口部にこの熱溶着性のない粒子を予め固着させ、固着粒子を介在してヒートシール密封を行うので、熱溶着性のない粒子介在が開口を容易にする。ヒートシール緩和は、粒径の選び方、緩和ヒートシールの強弱などによって所望のヒートシール緩和を達成できる。本発明の容器素材の開口部前処理装置により、このように開口部前処理を加えて開口が容易なヒートシール容器を提供できる。
【図面の簡単な説明】
【０００７】
【図１】シール緩和粒子を介在したヒートシール断面において、
【図２】本発明の概要において、
【符号の説明】
【０００８】１０は容器素材の基材である。
１１は樹脂コーティングである。
１２はヒートシール面である。
１３はシール面に介在した緩和粒子である。
２１は容器素材である。
２２は容器素材保持冷却ロールである。
２３は加熱部バーナである。
２４は投射室である。
２５はブラシである。
２６圧定冷却ロールである。
２７は搬送空気加熱器である。
２８は緩和粒子捕捉回収供給装置である。
２９は光学検査機である。
【発明を実施するための形態】
【０００９】本発明の実施の形態を図２に基づいて説明する。
図２において２１は容器素材である。容器素材はヒートシール樹脂層をコーティングした巻き取りの状態から本発明の装置図２に所定の速さで供給される。２３は加熱部バーナであり、ヒートシール緩和部の所要な加熱時に加熱部容器素材の供給に制御されて所定の位置に移動回転し、所要のヒートシール緩和部を加熱してヒートシール樹脂層を溶融し、所要の加熱後は不要な加熱を避ける退避位置に移動回転して戻る加熱部である。２４は投射ノズルを内蔵するヒートシール緩和粒子投射部であって、ヒートシール温度近傍に予備加熱した空気で搬送される熱溶着性のない粒子を、２３加熱部によって加熱された２１容器素材面にノズルから投射し、その投射時間は２１容器素材の供給量に制御される。２５はブラシであって、２４ヒートシール緩和粒子投射室の内部に配設され、余剰の粒子を除去する。２６は冷却ロールであって、２６冷却ロールは２５ブラシを通過直後２４粒子投射室の室内、および２４粒子投射室通過直後に設け、粒子の圧定と加熱部の冷却を行って粒子を固着させる。２４粒子投射室の室内の圧力は、粒子投射室外へ粒子が飛散するのを防止するように、本発明の前処理装置設置環境の気圧より負に維持する。２２は素材保持冷却ロールであって、２３加熱部から２６冷却ロールの区間では容器素材と本発明の前処理装置との距離を一定に保ち、加熱により容器素材の反対面の温度上昇を防止する素材保持冷却ロールである。２９は非接触光学検査機であって、粒子投射固着を完了したあと２９非接触光学検査機を所定の位置に配設して粒子の固着を確認し、粒子の固着不良の場合は本発明の前処理装置全体を停止して警報と容器素材にマーキングをおこなう。この本発明の前処理装置は、容器素材保持冷却ロール、容器素材の加熱部、粒子投射部、投射粒子固定部、加熱部冷却ロールおよび非接触光学検査機から構成され、各部の動きは容器素材保持冷却ロールの容器素材供給量に調歩制御されて所要の処理をおこなう。
【産業上の利用可能性】
【００１０】ヒートシール容器の開口を容易にし、あわせて開口時に容器把持が容器を圧迫し包装内容物を噴出させ開口現場を汚染することのない大量生産容器の開口部シール緩和に本発明の前処理装置を利用できる。
【図１】
2015047865.tif 000003
【図２】
2015047865.tif 000004
(57)【要約】【課題】  可動破砕刃にモータからの駆動力が確実に、また、高速回転による駆動力が伝えられて、破砕能力に優れるとともに、使用に際して手間がかかることの少ない破砕機を提供する。【解決手段】  外部から投入される被破砕物を破砕機構で粉砕して外部に排出する破砕機において、破砕機構における可動破砕刃１２が駆動モータ１５により直接駆動されるもの。【選択図】図４
2015047600.tif 000002
【特許請求の範囲】
【請求項１】
外部から投入される被破砕物を破砕機構で粉砕して外部に排出する破砕機において、
前記破砕機構における可動破砕刃が駆動モータにより直接駆動されることを特徴とする破砕機。
【請求項２】
自走式もしくは設置式である請求項１記載の破砕機。
【発明の詳細な説明】
【技術分野】
【０００１】  この発明は、建設現場等において岩石や廃コンクリート等を破砕するように使用される破砕機の破砕機構に関する。
【背景技術】
【０００２】  建設現場等においては、投入される岩石や廃コンクリート等を破砕して排出する自走式または設置式の破砕機が使用されている。その破砕機の破砕機構は、可動破砕刃とそれに対向配置される固定破砕刃とを備え、可動破砕刃が偏心回転作動されることで両破砕刃間において被破砕物の破砕を行う。従来における可動破砕刃の作動は油圧モータからＶベルトを介して駆動力が伝達されることで行われていた。
【特許文献１】  特開平１１−２６７５４４号公報
【発明の概要】
【発明が解決しようとする課題】
【０００３】  上記のようにＶベルトを介して可動破砕刃に駆動力が伝達される場合、どうしてもＶベルトにおいて滑りが発生して駆動力が確実に伝達されず、また、滑り等に起因して油圧モータの回転数も３３０ｒｐｍ程度しか上げられず、その結果、破砕能力が十分なものとならなかった。また、破砕刃間に被破砕物が詰まった場合、逆回転ができないことでその詰まりの解消に手間がかかり、さらに、使用時にＶベルトのテンションを常に調整する必要があって手間がかかる問題があった。【０００４】  この発明は上記の事情に鑑みて行ったもので、可動破砕刃にモータからの駆動力が確実に、また、高速回転による駆動力が伝えられて、破砕能力に優れるとともに、使用に際して手間がかかることの少ない破砕機を提供することを目的とする。
【課題を解決するための手段】
【０００５】  この発明では、外部から投入される被破砕物を破砕機構で粉砕して外部に排出する破砕機において、前記破砕機構における可動破砕刃が駆動モータにより直接駆動されることを特徴とする破砕機を提供する。【０００６】  この発明の破砕機によれば、可動破砕刃が駆動モータにより直接駆動されるので、駆動モータから可動破砕刃に駆動力が無駄なく伝達されるとともに、５００ｒｐｍ程度の高速回転駆動が可能となる。その結果、破砕能力に優れる。さらに、逆回転駆動がなされて詰まった物体が容易に取り出される。【０００７】  この発明の破砕機は、自走式、設置式それぞれの破砕機に適用される。
【発明の効果】
【０００８】  この発明によれば、可動破砕刃にモータからの駆動力が確実に、また、高速回転による駆動力が伝えられるので、破砕能力に優れるとともに、使用に際して手間のかかることの少ない破砕機が得られる。
【図面の簡単な説明】
【０００９】
【図１】  この発明の破砕機の実施形態の全体構成略図
【図２】  この発明の破砕機の破砕機構の実施形態の側面構成図
【図３】  この発明の破砕機の破砕機構の実施形態の平面構成図
【図４】  この発明の破砕機の破砕機構の駆動連結構成図
【図５】  この発明の破砕機の他の実施形態の全体構成略図
【発明を実施するための形態】
【００１０】  図１はこの発明の破砕機である自走式破砕機の全体構成略図である。自走式破砕機１は、走行部２上に本体部３が設置され、その本体部３の後方側上部にホッパー４が設けられ、そのホッパー４の下部に相対するようにフィーダ６が設けられ、そのフィーダ６の後端に上部開口を相対するように破砕機構８が設けられ、その破砕機構８の下部から前方斜上方向に延び出すように排出用のコンベヤ１０が配置されて構成されている。
【００１１】  図２、図３、図４により破砕機構８の構成を説明する。破砕機構８において、１１は外装ケースでありその内部に可動破砕刃１２と固定破砕刃１４とが上方が開放するように対向配置されている。可動破砕刃１２は上部に一体に固定された一対の偏心軸受１３を備え、その偏心軸受１３に偏心主軸１６が軸支され、その偏心主軸１６の一方の端部１８は側板１７の外面位置に取り付けられた油圧モータ１５の駆動軸１９の端部２３と連結されている。
【００１２】  図４において、偏心主軸１６の端部１８面にはスプライン穴２２が形成されたカップリング２４が嵌合固定され、油圧モータ１５の駆動軸１９の端部２３面にはスプライン穴２７が形成されている。３０は軸連結具で、相反する側に太径のスプライン軸部２８、細径のスプライン軸部２９を一体に備えており、そのスプライン軸部２８、スプライン軸部２９のそれぞれがカップリング２４のスプライン穴２２、端部２３面のスプライン穴２７にそれぞれ嵌合係止されて偏心主軸１６の端部１８と油圧モータ１５の駆動軸１９の端部２３とが連結されている。偏心主軸１６の他方の端部は側壁１７から外方に突出し、フライホイール２５が取り付けられている。３１はトッグルプレートである。
【００１３】  自走式破砕機１における破砕機構以外の構成は従来一般の構成により達成されるので、その詳細説明は省略する。
【００１４】  以下、自走式破砕機１の動作説明を行う。ホッパー４から投入された被破砕物Ｘはフィーダ６上に至り、フィーダ６により選別搬送された大形の被破砕物Ｘが破砕機構８の可動破砕刃１２と固定破砕刃１４との間に落下導入される。油圧モータ１５により駆動されることで可動破砕刃１２が偏心作動し、被破砕物Ｘは可動破砕刃１２と固定破砕刃１４とにより破砕されてコンベヤ１０上に落下し、小形となった破砕片ｘは前方斜上方向に搬送されてその先端から排出される。
【００１５】  上記の破砕動作においては、油圧モータ１５による可動破砕刃１２の直接駆動により５００ｒｐｍの高速回転により高い破砕機能が発揮される。また、直接駆動であることでベルト駆動による場合よりも駆動力が無駄なく安定してなく伝えられ、これによっても高い破砕機能が発揮される。くわえて、直接駆動であることで可動破砕刃１２の正逆回転がスムーズになされ、被破砕物が可動破砕刃１２と固定破砕刃１４との間に詰まった場合には可動破砕刃１２を逆回転することで詰まり状態を容易に解消できる。
【００１６】  図５は設置式破砕機１００を示し、上記実施形態の走行部２に変えて下台部４０を備えている。破砕機構８を含むその他の構成は全て上記実施形態のものと同様で、作用効果も同様に奏するものである。
【符号の説明】
【００１７】  １  自走式破砕機（破砕機）
８  破砕機構
１２  可動破砕刃
１４  固定破砕刃
１５  油圧モータ（駆動モータ）
【図１】
2015047600.tif 000003
【図２】
2015047600.tif 000004
【図３】
2015047600.tif 000005
【図４】
2015047600.tif 000006
【図５】
2015047600.tif 000007